(57)【要約】【課題】  スピーカの音を効率良く、かつ良好に放音させることができる鍵盤楽器を提供する。【解決手段】  前蓋１７および後蓋１８が折り曲げ可能に連結されて、楽器ケース１内の鍵盤部８を覆い、かつ前蓋１７および後蓋１８が折り曲げられた状態で楽器ケース１内に収納される鍵盤蓋１５と、前蓋１７および後蓋１８が互いに対向する各端部１５ａ、１５ｂのうち、前蓋１７の端部１５ａに設けられた放音切欠き部２５と、後蓋１８の端部１５ｂに設けられて、鍵盤蓋１５が楽器ケース１内に収納された際に放音切欠き部２５を開放する開閉部材２６と、を備えている。従って、鍵盤蓋１５が楽器ケース１内に収納された際に、開閉部材２６が放音切欠き部２５を開放させることができるので、スピーカ１２からの音を放音切欠き部２５から楽器ケース１の天板６の第１放音孔７に確実に導いて、良好に楽器ケース１の外部に放音させることができる。【選択図】        図２
2014160219.tif 000002
【特許請求の範囲】
【請求項１】
前部側が上方に開放された楽器ケースと、
この楽器ケース内に配置されると共に、並列に配列された複数の鍵が前記楽器ケースの前部上側に露呈された鍵盤部と、
この鍵盤部の後部下側に位置する前記楽器ケースの底部に配置されたスピーカと、
複数の蓋部が折り曲げ可能に連結され、前記鍵盤部の上側に配置されて前記鍵盤部を覆い、かつ前記複数の蓋部が折り曲げられた状態で前記楽器ケース内の後部に収納される鍵盤蓋と、
この鍵盤蓋の前記複数の蓋部が互いに対向する端部の一方に設けられ、前記スピーカからの音を通過させるための放音切欠き部と、
前記複数の蓋部が互いに対向する前記端部の他方に設けられ、前記鍵盤蓋が前記鍵盤部の上側に配置された際に前記放音切欠き部を塞ぎ、かつ前記鍵盤蓋が折り曲げられて前記楽器ケース内に収納された際に前記放音切欠き部を開放する開閉部材と、
を備えていることを特徴とする鍵盤楽器。
【請求項２】
請求項１に記載の鍵盤楽器において、前記スピーカで発生した音を、前記楽器ケースの外へ放音するための放音孔を前記楽器ケースの上部に位置する天板に設けたことを特徴とする鍵盤楽器。
【請求項３】
請求項１または請求項２に記載の鍵盤楽器において、前記鍵盤蓋が前記鍵盤部の上側に配置された際に、前記複数の蓋部を平板状に配置し、前記鍵盤蓋が前記楽器ケース内に収納された際に、前記複数の蓋部を前記楽器ケースの上部に位置する前記天板と前記楽器ケースの後部に位置する背面板とに沿って折り曲げる蓋ガイド部を備えていることを特徴とする鍵盤楽器。
【請求項４】
請求項１〜請求項３のいずれかに記載の鍵盤楽器において、前記放音切欠き部は、前記複数の蓋部が互いに対向する前記端部における前記楽器ケースの前部側に位置する前記蓋部の端部に設けられており、前記開閉部材は、前記複数の蓋部が互いに対向する前記端部における前記楽器ケースの後部側に位置する前記蓋部の端部に、この端部が位置する前記蓋部の上面と同一平面上で、前記楽器ケースの前部側に位置する前記蓋部側に向けて突出して設けられていることを特徴とする鍵盤楽器。
【請求項５】
請求項１〜請求項４のいずれかに記載の鍵盤楽器において、前記スピーカは、前記楽器ケースの前記底部の下面に上向きに取り付けられ、前記底部に設けられたスピーカ孔から前記楽器ケース内に音を放音することを特徴とする鍵盤楽器。
【発明の詳細な説明】
【技術分野】
【０００１】
この発明は、電子ピアノや電子オルガンなどの鍵盤楽器に関する。
【背景技術】
【０００２】
例えば、電子鍵盤楽器においては、特許文献１に記載されているように、前部側が上方に開放された楽器ケース内に鍵盤部を設けると共に、この鍵盤部を覆う鍵盤蓋を開閉可能に設け、この楽器ケースの下面にスピーカを上向きに取り付け、このスピーカで発生した音を楽器ケース内から楽器ケースの前側に向けて放音するように構成したものが知られている。
【先行技術文献】
【特許文献】
【０００３】
【特許文献１】特開２０１１−２８０３４号公報
【０００４】
このような電子鍵盤楽器における鍵盤部は、楽器ケース内に配置された鍵盤シャーシと、この鍵盤シャーシ上に上下方向に回転可能な状態で並列に配列された複数の鍵とを備え、この複数の鍵の各隙間を通してスピーカの音が楽器ケースの前側に向けて放音されるように構成されている。
【０００５】
また、鍵盤蓋は、前蓋と後蓋とが蝶番で折り曲げ可能に連結され、蓋ガイド部によってガイドされるように構成されている。この場合、蓋ガイド部は、鍵盤蓋が鍵盤部を上側に開放した際に、前蓋と後蓋とを蝶番で折り曲げて、後蓋を鍵盤部の後部に接近させた状態で配置させるように構成されている。
【０００６】
これにより、この電子鍵盤楽器では、鍵盤蓋が鍵盤部を上側に開放した際に、前蓋が楽器ケースの上部に僅かな隙間をもって接近すると共に、後蓋が楽器ケースの後部に僅かな隙間をもって接近し、これらの隙間を通してスピーカの音が楽器ケースの前側に向けて放音されるように構成されている。
【発明の概要】
【発明が解決しようとする課題】
【０００７】
しかしながら、このような電子鍵盤楽器では、スピーカで発生した音が楽器ケースの内部を通して楽器ケースの前側に向けて放音される際に、鍵盤部における複数の鍵の各隙間、および後蓋と楽器ケースの後部との僅かな隙間、並びに前蓋と楽器ケースの上部との僅かな隙間を通して、スピーカの音が楽器ケースの前側に向けて放音される構成であるから、スピーカの音を効率良く、かつ良好に放音させることができないという問題がある。
【０００８】
この発明が解決しようとする課題は、スピーカの音を効率良く、かつ良好に放音させることができる鍵盤楽器を提供することである。
【課題を解決するための手段】
【０００９】
この発明は、前部側が上方に開放された楽器ケースと、この楽器ケース内に配置されると共に、並列に配列された複数の鍵が前記楽器ケースの前部上側に露呈された鍵盤部と、この鍵盤部の後部下側に位置する前記楽器ケースの底部に配置されたスピーカと、複数の蓋部が折り曲げ可能に連結され、前記鍵盤部の上側に配置されて前記鍵盤部を覆い、かつ前記複数の蓋部が折り曲げられた状態で前記楽器ケース内の後部に収納される鍵盤蓋と、この鍵盤蓋の前記複数の蓋部が互いに対向する端部の一方に設けられ、前記スピーカからの音を通過させるための放音切欠き部と、前記複数の蓋部が互いに対向する前記端部の他方に設けられ、前記鍵盤蓋が前記鍵盤部の上側に配置された際に前記放音切欠き部を塞ぎ、かつ前記鍵盤蓋が折り曲げられて前記楽器ケース内に収納された際に前記放音切欠き部を開放する開閉部材と、を備えていることを特徴とする鍵盤楽器である。
【発明の効果】
【００１０】
この発明によれば、鍵盤蓋が鍵盤部を開放させて楽器ケース内の後部に収納された際に、複数の蓋部が折り曲げられて、開閉部材が放音切欠き部を開放させることができ、この状態でスピーカから音を発生させると、その音を開放された放音切欠き部から楽器ケースの外部に確実に導くことができ、これによりスピーカの音を良好に楽器ケースの外部に放音させることができるので、楽器ケースの奥行きが短くても、スピーカの音を効率良く、かつ良好に放音させることができる。
【図面の簡単な説明】
【００１１】
【図１】この発明を電子鍵盤楽器に適用した一実施形態において、鍵盤蓋を閉じた状態を示した断面図である。
【図２】図１に示された電子鍵盤楽器において、鍵盤蓋を開いて楽器ケース内の後部に折り曲げて収納した状態を示した断面図である。
【図３】図１に示された電子鍵盤楽器の鍵盤蓋において、前蓋と後蓋とを分解して示した要部の拡大斜視図である。
【発明を実施するための形態】
【００１２】
以下、図１〜図３を参照して、この発明を電子鍵盤楽器に適用した一実施形態について説明する。
この電子鍵盤楽器は、図１および図２に示すように、楽器ケース１を備えている。この楽器ケース１は、前側上部（図１では左側上部）が開放された横長のほぼ箱形状に形成されている。
【００１３】
すなわち、この楽器ケース１は、図１および図２に示すように、底板２と、この底板２の前端部（図１では左端部）に起立して設けられた前板３と、底板２の後端部（図１では右端部）に起立して設けられた背面板４と、底板２の左右両側部（図１では紙面の表裏面の両側部）に起立して設けられた一対の側板５と、この一対の側板および背面板４の上部に配置された天板６とを備えている。
【００１４】
この場合、前板３は、図１および図２に示すように、背面板４の高さのほぼ半分程度の高さで形成されている。また、一対の側板５は、楽器全体を支持する脚部を兼ねるものであり、底板２の下側に延設されている。この一対の側板５は、その前端部が前板３よりも少し高く形成され、前後方向（図１では左右方向）におけるほぼ中間部から後部側が背面板４と同じ高さで形成され、前端部から中間部に向けて後部上がりに傾斜する傾斜部に形成されている。
【００１５】
天板６は、図１および図２に示すように、一対の側板５の後部側の上部と背面板４の上部とに配置されている。この天板６の中央部には、第１放音孔７が上下に貫通して設けられている。また、この天板６の上面には、第１放音孔７を塞ぐ閉塞蓋２７が蝶番２８によって開閉可能に設けられている。これにより、楽器ケース１は、一対の側板５の各傾斜部に対応する前部側が上方に開放された横長のほぼ箱形状に形成されている。
【００１６】
この楽器ケース１内には、図１および図２に示すように、鍵盤部８が設けられている。この鍵盤部８は、楽器ケース１の底板２上に配置された鍵盤シャーシ１０と、この鍵盤シャーシ１０上に上下方向に回転可能な状態で並列に配列された複数の鍵１１とを備えている。この鍵盤部８は、複数の鍵１１が楽器ケース１の前部側から上方に露呈した状態で、押鍵操作されるように構成されている。この場合、楽器ケース１内には、コンソールパネル９が鍵盤部８の後部に位置する上側から後側上方に向けて傾斜して設けられている。
【００１７】
また、この楽器ケース１の底板２の下面には、図１および図２に示すように、スピーカ１２が鍵盤部８の後部側に位置した状態で、上向きに設けられている。この場合、スピーカ１２に対応する箇所における楽器ケース１の底板２には、スピーカ１２で発生した楽音を楽器ケース１内に取り込むための第２放音孔１３が、上下に貫通して設けられている。また、この底板２には、スピーカ１２を保護する保護カバー１４が設けられている。
【００１８】
一方、楽器ケース１内には、図１および図２に示すように、鍵盤部８の上側を覆う鍵盤蓋１５が蓋ガイド部１６によって開閉可能に設けられている。この鍵盤蓋１５は、前蓋１７と後蓋１８とを有し、この前蓋１７と後蓋１８とが蝶番１９によって折り曲げ可能に連結された構成になっている。
【００１９】
この場合、前蓋１７の前端部には、図１および図２に示すように、一対の側板５の各内面に向けて突出するガイド軸１７ａが支持脚１７ｂを介して設けられている。また、後蓋１８の前端部には、一対の側板５の各内面に向けて突出するガイド軸１８ａが支持脚１８ｂを介して設けられている。この後蓋１８の後端部には、軸取付部１８ｃが取り付けられている。
【００２０】
蓋ガイド部１６は、図１および図２に示すように、鍵盤蓋１５が鍵盤部８の上側を覆った際に前蓋１７と後蓋１８とをほぼ平板状に配置させ、かつ鍵盤蓋１５が鍵盤部８を上側に開放して楽器ケース１内の後部側に収納された際に前蓋１７と後蓋１８とを蝶番１９で折り曲げて、前蓋１７を天板６の下面に接近させ、かつ後蓋１８を背面板４に接近させた状態で配置させるように構成されている。
【００２１】
すなわち、この蓋ガイド部１６は、図１および図２に示すように、ガイドレール部２０とガイド部材２１とを有している。ガイドレール部２０は、一対の側板５の内面に前板３の上側からコンソールパネル９の上側を経て背面板４に向けて斜め上方に傾斜して設けられている。このガイドレール部２０は、鍵盤蓋１５の前蓋１７のガイド軸１７ａと後蓋１８のガイド軸１８ａとをそれぞれガイドするように構成されている。
【００２２】
これにより、ガイドレール部２０は、図１に示すように、前蓋１７と後蓋１８とが鍵盤部８の上側を覆った際に、前蓋１７のガイド軸１７ａをガイドレール部２０の前端部で支持し、かつ後蓋１８のガイド軸１８ａをガイドレール部２０における鍵盤部８のほぼ中間部に対応する箇所で支持し、この状態で前蓋１７と後蓋１８とを前下りに傾斜させた状態で平板状に配置させるように構成されている。
【００２３】
また、このガイドレール部２０は、図２に示すように、鍵盤蓋１５が鍵盤部８を上側に開放して楽器ケース１内の後部側に収納された際に、前蓋１７のガイド軸１７ａをガイドレール部２０における天板６の前端部の下側に対応する箇所で支持し、かつ後蓋１８のガイド軸１８ａをガイドレール部２０の後端部で支持し、この状態で前蓋１７を天板７の下側に接近させて配置させ、かつ後蓋１８を前蓋１７に対して蝶番１９で折り曲げて、背面板４に接近させて垂下させるように構成されている。
【００２４】
一方、ガイド部材２１は、図１および図２に示すように、鍵盤部８の後端部の上部付近に位置する箇所の側板５の内面に設けられた支持軸２２と、この支持軸２２に回転自在に取り付けられたアーム部２３と、このアーム部２３の先端と後蓋１８の軸取付部１８ｃとを回転可能に連結する連結軸２４とを備えている。このガイド部材２１は、支持軸２２を中心にアーム部２３が上下方向に回転して、連結軸２４を上下方向に回転移動させることにより、後蓋１８の後端部をガイドレール部２０に対応する上部と鍵盤部８の後側下部との間で上下方向に移動させるように構成されている。
【００２５】
これにより、蓋ガイド部１６は、図１に示すように、鍵盤蓋１５の前蓋１７と後蓋１８とが鍵盤部８の上側を覆って閉じた際に、前蓋１７のガイド軸１７ａをガイドレール部２０の前端部に位置させ、後蓋１８のガイド軸１８ａをガイドレール部２０における鍵盤部８のほぼ中間部に対応する箇所に位置させ、この状態でガイド部材２１のアーム部２３が支持軸２２を中心に反時計回りに回転して起立することにより、後蓋１８の後端部に位置する連結軸２４をガイドレール部２０に対応する位置に支持して、前蓋１７と後蓋１８とを前下がりに傾斜させた状態で平板状に配置するように構成されている。
【００２６】
また、この蓋ガイド部１６は、図２に示すように、鍵盤蓋１５が開いて鍵盤部８を上側に開放して楽器ケース１内の後部側に収納された際に、前蓋１７と後蓋１８とを蝶番１９で折り曲げ、前蓋１７のガイド軸１７ａをガイドレール部２０における天板６の前端部の下側に対応する箇所に位置させ、後蓋１８のガイド軸１８ａをガイドレール部２０の後端部に位置させ、この状態でガイド部材２１のアーム部２３が支持軸２２を中心に時計回りに回転して垂下することにより、後蓋１８の後端部に位置する連結軸２４を鍵盤部８の下部後方に支持するように構成されている。
【００２７】
ところで、鍵盤蓋１５の前蓋１７と後蓋１８とが互いに対向する各端部１５ａ、１５ｂのうち、一方の端部１５ａには、図１〜図３に示すように、放音切欠き部２５が設けられており、他方の端部１５ｂには、これに対向する放音切欠き部２５を開閉可能に塞ぐ開閉部材２６が設けられている。すなわち、放音切欠き部２５は、前蓋１７と後蓋１８とにおける互いに対向する各端部１５ａ、１５ｂのうち、楽器ケース１の前部側に位置する前蓋１７の端部１５ａに設けられている。
【００２８】
また、開閉部材２６は、図１〜図３に示すように、前蓋１７と後蓋１８とにおける互いに対向する各端部１５ａ、１５ｂのうち、楽器ケース１の後部側に位置する後蓋１８の端部１５ｂに、この端部１５ｂが位置する後蓋１８の上面と同一平面上で、図１において楽器ケース１の前部側に位置する前蓋１７に向けて突出して設けられている。この場合、開閉部材２６は、ゴムシートなどの弾性シートで形成されていることが望ましいが、金属板で形成されていても良い。
【００２９】
これにより、この開閉部材２６は、図１および図３に示すように、鍵盤蓋１５が鍵盤部８の上側に配置されて覆われた際に、前蓋１７と後蓋１８とが前下がりに傾斜した平板状に配置されると、互いに対向する端部１５ａ、１５ｂが蝶番１９を中心に回転して互いに接近し、前蓋１７の上面と後蓋１８の上面とが同一平面になることにより、前蓋１７の放音切欠き部２５に上側から接近して放音切欠き部２５を塞ぐように構成されている。
【００３０】
また、この開閉部材２６は、図２に示すように、鍵盤蓋１５が折り曲げられて楽器ケース１内の後部側に収納された際に、前蓋１７と後蓋１８とが蝶番１９で折り曲げられると、互いに対向する端部１５ａ、１５ｂが蝶番１９を中心に回転して離れ、後蓋１８の上面が前蓋１７の上面に対してほぼ直角になることにより、前蓋１７の放音切欠き部２５から上方に離れて放音切欠き部２５を開放するように構成されている。
【００３１】
次に、このような電子鍵盤楽器の作用について説明する。
この電子鍵盤楽器で演奏をする場合には、まず、鍵盤蓋１５を開いて鍵盤部８を上側に開放させる。このときには、前蓋１７の前端部を持ち上げて後方に向けて移動させると、前蓋１７のガイド軸１７ａと後蓋１８のガイド軸１８ａとがガイドレール部２０に沿って移動すると共に、ガイド部材２１のアーム部２３が支持軸２２を中心に時計回りに回転して、前蓋１７と後蓋１８とが蝶番１９で徐々に折れ曲がりながら、後蓋１８の後部が鍵盤部８の下部後方に移動する。
【００３２】
そして、前蓋１７のガイド軸１７ａが天板６の前端部の下側に位置するガイドレール部２０の箇所に位置し、後蓋１８のガイド軸１８ａがガイドレール部２０の後端部に位置し、この後蓋１８の後端部に位置する軸取付部１８ｃの連結軸２４が鍵盤部８の下部後方に位置すると、前蓋１７が天板７の下側に接近して配置され、かつ後蓋１８が前蓋１７に対して蝶番１９で折り曲げられて、背面板４に接近して垂下される。
【００３３】
このときには、前蓋１７と後蓋１８とが蝶番１９を中心に回転して折れ曲がることにより、前蓋１７と後蓋１８との互いに対向する端部１５ａ、１５ｂが蝶番１９を中心に回転して互いに離れるので、後蓋１８の端部１５ｂに設けられた開閉部材２６が前蓋１７の放音切欠き部２５から離れて放音切欠き部２５を開放する。
【００３４】
この状態では、鍵盤部８が上方に開放されて複数の鍵１１が上側に露呈するので、演奏が可能な状態になる。この状態で、演奏する前には、まず、天板６の閉塞蓋２７を開いて第１放音孔７を開放する。そして、鍵盤部８の複数の鍵１１を押鍵操作して演奏すると、その押鍵操作に応じた楽音をスピーカ１２が発生する。
【００３５】
すると、スピーカ１２で発生した楽音のうち、高音側の音は、楽器ケース１の底板２に設けられた第２放音孔１３から楽器ケース１内に向けて放音される。また、低音側の音は、楽器ケース１の下側に向けて放音される。この場合、楽器ケース１内に向けて放音された高音側の音は、図２に矢印Ａで示すように、鍵盤蓋１５の放音切欠き部２５を通して天板６の第１放音孔７に導かれる。この導かれた高音側の音は、天板６の第１放音孔７から楽器ケース１の上側に放音され、この放音された音が閉塞蓋２７によって楽器ケース１の前側に向けて放音される。
【００３６】
また、このときには、図２に矢印Ｂで示すように、高音側の音が鍵盤蓋１５の後部上から後右方に向けて傾斜して配置されたコンソールパネル９を通って楽器ケース１の前側に向けて放音される。さらに、このときには、図２に矢印Ｃで示すように、楽器ケース１内に向けて放音された高音側の音が鍵盤蓋１５の後蓋１８の下側から鍵盤シャーシ１内を通って複数の鍵１１の各隙間から楽器ケース１の前側に向けて放音される。これらによって、スピーカ１２で発生した楽音が効率良く良好に楽器ケース１から放音される。
【００３７】
一方、演奏を行わないときには、鍵盤蓋１５を閉じて鍵盤部８を覆うと共に、閉塞蓋３０を閉じて天板６の第１放音孔７を塞ぐ。このときには、鍵盤蓋１５の前蓋１７の前端部を楽器ケース１の前側に向けて引き出すと、前蓋１７のガイド軸１７ａと後蓋１８のガイド軸１８ａがガイドレール部２０に沿って移動すると共に、ガイド部材２１のアーム部２３が支持軸２２を中心に反時計回りに回転し、前蓋１７と後蓋１８とが蝶番１９で徐々に折れ曲がりながら、後蓋１８の後端部がガイドレール部２０に対応する箇所に移動する。
【００３８】
そして、前蓋１７のガイド軸１７ａが楽器ケース１の前板３上に位置するガイドレール部２０の前端部に位置し、後蓋１８のガイド軸１８ａがガイドレール部２０の中間部に位置し、後蓋１８の後端部に位置する軸取付部１８ｃの連結軸２４がガイドレール部２０に対応する箇所に位置すると、前蓋１７と後蓋１８とが前下がりに傾斜した状態で平板状に配置される。
【００３９】
これにより、鍵盤部８が前蓋１７と後蓋１８とによって覆われる。このときには、前蓋１７と後蓋１８とが蝶番１９を中心に回転して各端部１５ａ、１５ｂが互いに接近するので、開閉部材２６が前蓋１７の放音切欠き部２５上に接近して放音切欠き部２５を塞ぐ。これにより、放音切欠き部２５から楽器ケース１内への塵埃の侵入を防ぐ。そして、閉塞蓋３０を閉じて天板６の第１放音孔７を塞ぐ。これによっても、第１放音孔７から楽器ケース１内への塵埃の侵入を防ぐ。
【００４０】
このように、この電子鍵盤楽器によれば、鍵盤部８が前部上側に露呈されて配置された楽器ケース１と、鍵盤部８の後部側に位置する楽器ケース１の底板２に配置されたスピーカ１２と、楽器ケース１の上部に位置する天板６に設けられた第１放音孔７と、前蓋１７および後蓋１８が折り曲げ可能に連結されて、鍵盤部８の上側に配置され、かつ前蓋１７および後蓋１８が折り曲げられた状態で楽器ケース１内に収納される鍵盤蓋１５と、この鍵盤蓋１５の前蓋１７および後蓋１８が互いに対向する各端部１５ａ、１５ｂのうち、前蓋１７の端部１５ａに設けられた放音切欠き部２５と、後蓋１８の端部１５ｂに設けられ、鍵盤蓋１５が鍵盤部８の上側に配置された際に放音切欠き部２５を塞ぎ、かつ鍵盤蓋１５が折り曲げられて楽器ケース１内に収納された際に放音切欠き部２５を開放する開閉部材２６と、を備えていることにより、スピーカ１２の音を効率良く、かつ良好に放音させることができる。
【００４１】
すなわち、この電子鍵盤楽器によれば、鍵盤蓋１５が鍵盤部８を開放させて楽器ケース１内に収納された際に、前蓋１７と後蓋１８とが折り曲げられることにより、開閉部材２６が放音切欠き部２５から離れて放音切欠き部２５を開放させることができる。このため、スピーカ１２から音を発生させると、その音を開放された放音切欠き部２５から楽器ケース１の天板６の第１放音孔７に確実に導くことがでる。これにより、スピーカ１２の音を良好に楽器ケース１の外部に放音させることができるので、楽器ケース１の奥行きが短く、鍵盤部８の後端部から楽器ケース１の後端部との間が狭くても、スピーカ１２の音を効率良く、かつ良好に放音させることができる。
【００４２】
また、この電子鍵盤楽器では、鍵盤蓋１５が鍵盤部８の上側に配置された際に、前蓋１７と後蓋１８とを平板状に配置し、鍵盤蓋１５が楽器ケース１内に収納された際に、前蓋１７と後蓋１８とを楽器ケース１の上部に位置する天板６と楽器ケース１の後部に位置する背面板４とに沿って折り曲げる蓋ガイド部１６を備えていることにより、鍵盤蓋１５を閉じた際に、前蓋１７と後蓋１８とを鍵盤部８の上側に安定した状態で配置することができ、また鍵盤蓋１５を楽器ケース１内に収納した際に、前蓋１７と後蓋１８とを確実にかつ良好に折り曲げて楽器ケース１内にコンパクトに配置することができる。
【００４３】
この場合、放音切欠き部２５は、前蓋１７と後蓋１８とが互いに対向する各端部１５ａ、１５ｂのうち、楽器ケース１の前部側に位置する前蓋１７の端部１５ａに設けられており、開閉部材２６は、放音切欠き部２５に対向する後蓋１８の端部１５ｂに、後蓋１８の上面と同一平面上で、前蓋１７に向けて突出して設けられていることにより、鍵盤蓋１５が閉じた際に、開閉部材２６によって放音切欠き部２５を確実にかつ良好に塞ぐことができ、また鍵盤蓋１５が楽器ケース１内に収納された際に、開閉部材２６が放音切欠き部２５を確実にかつ良好に開放することができる。
【００４４】
すなわち、この電子鍵盤楽器では、鍵盤蓋１５が閉じて前蓋１７と後蓋１８とが鍵盤部８の上側に平面的に配置された際に、前蓋１７と後蓋１８との互いに対向する各端部１５ａ、１５ｂが接近して、前蓋１７の上面と後蓋１８の上面とが同一平面になるので、開閉部材２６が前蓋１７の上面に重なり、前蓋１７の放音切欠き部２５を確実に塞ぐことができる。これにより、放音切欠き部２５から楽器ケース１内に塵埃が侵入するのを確実にかつ良好に防ぐことができる。
【００４５】
また、この電子鍵盤楽器では、鍵盤蓋１５が楽器ケース１内に収納されて、前蓋１７と後蓋１８とが折り曲げられた際に、前蓋１７と後蓋１８との互いに対向する各端部１５ａ、１５ｂが蝶番１９を中心に回転して離れ、前蓋１７の上面と後蓋１８の上面とが回転方向に離れるので、開閉部材２６が前蓋１７の上面から離れ、前蓋１７の放音切欠き部２５を確実に開放することができる。これにより、スピーカ１２の音を良好に通過させて天板６の第１放音孔７に導くことができる。
【００４６】
この場合、開閉部材２６は、ゴムシートなどの弾性シートで形成されていれば、前蓋１７の放音切欠き部２５を塞いだ際に、放音切欠き部２５の周縁部に位置する前蓋１７の上面に弾力的に密接させることができ、これにより、より一層、放音切欠き部２５を確実にかつ良好に塞ぐことができると共に、前蓋１７の上面を傷付けずに塞ぐことができる。
【００４７】
また、この開閉部材２６は、ゴムシートなどの弾性シートで形成されていることにより、鍵盤蓋１５が蓋ガイド部１６でガイドされる際に、開閉部材２６の先端部が天板６の下面に接触しても、天板６の下面を傷付けることがなく、また鍵盤蓋１５が楽器ケース１内に収納された際に、楽器ケース１の後の背面版４に当接しても、背面板４を傷付けることがなく、鍵盤蓋１５を楽器ケース１内に良好に収納することができる。
【００４８】
さらに、この電子鍵盤楽器では、スピーカ１２が楽器ケース１の底板２の下面に上向きに取り付けられ、底板２に設けられた第２放音孔１３から楽器ケース１内に音を放音することにより、スピーカ１２で発生した楽音のうち、高音側の音を楽器ケース１の底板２に設けられた第２放音孔１３から楽器ケース１内に向けて放音することができ、また低音側の音を楽器ケース１の下側に向けて放音することができるほか、鍵盤部８の後端部から楽器ケース１の後端部までの間を狭くして、楽器ケース１の奥行きを短くすることができ、これにより楽器ケース１全体をコンパクトに構成することができる。
【００４９】
なお、上述した実施形態では、鍵盤蓋１５が前蓋１７と後蓋１８との２つに分割されている場合について述べたが、これに限らず、鍵盤蓋１５を３つ以上の蓋部に分割してそれぞれ折れ曲がり可能に連結した構成であっても良い。この場合には、分割された複数の蓋部の互いに対向する端部にそれぞれ放音切欠き部２５および開閉部材２６を設ければ良い。
【００５０】
また、上述した実施形態では、スピーカ１２を楽器ケース１の底板２の下面に上向きに設けた場合について述べたが、これに限らず、例えば楽器ケース１の底板２の下面にスピーカ１２を下向きに設けても良く、また楽器ケース１の内部にスピーカ１２を上向きまたは下向きに設けても良い。
【００５１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５２】
（付記）
請求項１に記載の発明は、前部側が上方に開放された楽器ケースと、この楽器ケース内に配置されると共に、並列に配列された複数の鍵が前記楽器ケースの前部上側に露呈された鍵盤部と、この鍵盤部の後部下側に位置する前記楽器ケースの底部に配置されたスピーカと、複数の蓋部が折り曲げ可能に連結され、前記鍵盤部の上側に配置されて前記鍵盤部を覆い、かつ前記複数の蓋部が折り曲げられた状態で前記楽器ケース内の後部に収納される鍵盤蓋と、この鍵盤蓋の前記複数の蓋部が互いに対向する端部の一方に設けられ、前記スピーカからの音を通過させるための放音切欠き部と、前記複数の蓋部が互いに対向する前記端部の他方に設けられ、前記鍵盤蓋が前記鍵盤部の上側に配置された際に前記放音切欠き部を塞ぎ、かつ前記鍵盤蓋が折り曲げられて前記楽器ケース内に収納された際に前記放音切欠き部を開放する開閉部材と、を備えていることを特徴とする鍵盤楽器である。
【００５３】
請求項２に記載の発明は、請求項１に記載の鍵盤楽器において、前記スピーカで発生した音を、前記楽器ケースの外へ放音するための放音孔を前記楽器ケースの上部に位置する天板に設けたことを特徴とする鍵盤楽器である。
【００５４】
請求項３に記載の発明は、請求項１または請求項２に記載の鍵盤楽器において、前記鍵盤蓋が前記鍵盤部の上側に配置された際に、前記複数の蓋部を平板状に配置し、前記鍵盤蓋が前記楽器ケース内に収納された際に、前記複数の蓋部を前記楽器ケースの上部に位置する前記天板と前記楽器ケースの後部に位置する背面板とに沿って折り曲げる蓋ガイド部を備えていることを特徴とする鍵盤楽器である。
【００５５】
請求項４に記載の発明は、請求項１〜請求項３のいずれかに記載の鍵盤楽器において、前記放音切欠き部は、前記複数の蓋部が互いに対向する前記端部における前記楽器ケースの前部側に位置する前記蓋部の端部に設けられており、前記開閉部材は、前記複数の蓋部が互いに対向する前記端部における前記楽器ケースの後部側に位置する前記蓋部の端部に、この端部が位置する前記蓋部の上面と同一平面上で、前記楽器ケースの前部側に位置する前記蓋部側に向けて突出して設けられていることを特徴とする鍵盤楽器である。
【００５６】
請求項５に記載の発明は、請求項１〜請求項４のいずれかに記載の鍵盤楽器において、前記スピーカは、前記楽器ケースの前記底部の下面に上向きに取り付けられ、前記底部に設けられたスピーカ孔から前記楽器ケース内に音を放音することを特徴とする鍵盤楽器である。
【符号の説明】
【００５７】
１  楽器ケース
２  底板
４  背面板
５  側板
６  天板
７  第１放音孔
８  鍵盤部
１０  鍵盤シャーシ
１１  鍵
１２  スピーカ
１３  第２放音孔
１５  鍵盤蓋
１５ａ、１５ｂ  端部
１６  蓋ガイド部
１７  前蓋
１８  後蓋
１９  蝶番
２５  放音切欠き部
２６  開閉部材
【図１】
2014160219.tif 000003
【図２】
2014160219.tif 000004
【図３】
2014160219.tif 000005